(57)【要約】【課題】端末装置の操作に不慣れな人でも、極めて簡単にサーバにアクセスし動画データの配信を要求することが可能な動画配信システムを提供する。【解決手段】端末装置はテレビ電話モードを有する携帯電話であり、サーバ２は、通信網上でサーバ２に割り当てられた複数の着信電話番号と動画データとを対応付けるデータベースが記憶された動画記憶部２１と、動画記憶部２１に動画データを記憶する動画記憶手段３０と、携帯電話からテレビ電話モードで着信があった場合、発呼された着信電話番号を認識する着信電話番号認識手段３４と、認識された着信電話番号に対応する動画データをデータベースに基づいて特定し、その動画データを動画記憶部２１から読み出す動画読出手段３５と、読み出された動画データを、テレビ電話用プロトコルに従って携帯電話に送信する動画送信手段３６とを具備する。【選択図】図２
2013201554.tif 000002
【特許請求の範囲】
【請求項１】
サーバと、該サーバに通信網を介して接続可能な端末装置とを備え、前記サーバに複数の動画データを記憶するとともに、該複数の動画データのうち任意の動画データを前記端末装置に配信する動画配信システムであって、
前記端末装置は、テレビ電話モードを有する携帯電話であり、
前記サーバは、
前記通信網上で前記サーバに割り当てられた複数の着信電話番号と前記動画データとを対応付けるデータベースが記憶された記憶装置と、
該記憶装置に前記動画データを記憶する動画記憶手段と、
前記携帯電話から前記テレビ電話モードで着信があった場合、発呼された前記着信電話番号を認識する着信番号認識手段と、
認識された前記着信電話番号に対応する前記動画データを前記データベースに基づいて特定し、該動画データを前記記憶装置から読み出す動画読出手段と、
読み出された前記動画データを、テレビ電話用プロトコルに従って前記携帯電話に送信する動画送信手段と
を具備することを特徴とする動画配信システム。
【請求項２】
前記サーバにインターネットを介して接続され、前記動画データを前記サーバに登録する登録用端末装置をさらに備え、
前記サーバの前記データベースは、前記動画データの登録者にかかる識別情報と、前記登録者に対して設定された前記着信電話番号と、前記動画データが格納される前記記憶装置内の記憶領域のアドレスとを対応付けるものであり、
前記登録用端末装置は、前記動画データとともに前記識別情報を前記サーバに送信し、
前記サーバの前記動画記憶手段は、前記登録用端末装置から送信された前記動画データ及び前記識別情報を受信すると、該識別情報に対応する前記アドレスを、前記データベースに基づいて特定し、特定された前記アドレスの前記記憶領域に、受信した前記動画データを記憶する
ことを特徴とする請求項１に記載の動画配信システム。
【請求項３】
前記サーバにインターネットを介して接続され、前記動画データを前記サーバに登録する登録用端末装置をさらに備え、
前記サーバは、
前記登録用端末装置から送信された前記動画データを受信すると、該動画データに、前記サーバに割り当てられた前記複数の着信電話番号のうちの一つを付与する電話番号付与手段と、
付与された前記着信電話番号を前記インターネットを介して前記登録用端末装置に通知する電話番号通知手段と
をさらに具備し、
前記動画記憶手段は、受信した前記動画データを前記記憶装置に記憶するとともに、前記電話番号付与手段によって付与された前記着信電話番号と前記動画データとを前記データベースにおいて対応付ける
ことを特徴とする請求項１に記載の動画配信システム。
【請求項４】
サーバに複数の動画データを記憶するとともに、前記サーバに記憶された前記複数の動画データのうち、任意の動画データを携帯電話に配信する動画配信プログラムであって、
通信網上で前記サーバに割り当てられた複数の着信電話番号と前記動画データとを対応付けるデータベースが記憶された記憶装置に、前記動画データを記憶する動画記憶手段、
前記携帯電話からテレビ電話モードで着信があった場合、発呼された前記着信電話番号を認識する着信番号認識手段、
認識された前記着信電話番号に対応する前記動画データを前記データベースに基づいて特定し、該動画データを前記記憶装置から読み出す動画読出手段、
及び、読み出された前記動画データを、テレビ電話用プロトコルに従って前記携帯電話に送信する動画送信手段
として、前記サーバを機能させることを特徴とする動画配信プログラム。
【発明の詳細な説明】
【技術分野】
【０００１】
本発明は、動画配信システムに関するものであり、特に、サーバに複数の動画データを記憶するとともに、要求された動画データを端末装置に配信することが可能な動画配信システムに関するものである。
【背景技術】
【０００２】
例えば個人または企業がメッセージを多数の人に伝える方法として、自己の動画を作成し、その動画を多数の人がそれぞれ使用する端末装置に配信することが行われている。具体的には、ウェブページを開設し、端末装置からの配信要求に応じて動画データを配信する方法である。端末装置では、サーバからウェブページデータを取得して表示器にウェブページを表示し、そのウェブページ内で、動画データの配信を要求することにより、動画を閲覧することが可能になる。
【０００３】
端末装置がウェブページデータを取得するためには、サーバが提供するウェブページにアクセスする必要がある。なお、アクセスする際には、サーバのウェブページを指定するＵＲＬを直接入力したり、ブラウザによって表示されたウェブページのリンク先を選択したりする方法がある。
【０００４】
また、インターネットに接続可能な携帯電話が普及しており、携帯電話を用いて動画データの配信を要求することも可能になっている。特に、最近の携帯電話にはカメラが設けられており、パンフレット等に印刷された二次元コードをカメラによって撮像することにより、二次元コードの画像データからＵＲＬ情報を得ることも可能になっている（例えば特許文献１参照）。
【発明の概要】
【発明が解決しようとする課題】
【０００５】
しかし、端末装置の操作に不慣れな人（例えば年配者や初心者）にとっては、サーバへのアクセスはいずれも容易な操作とは言えず、その操作に戸惑ったり、操作が面倒なことから動画データの配信を躊躇したりすることが多かった。特に、ＵＲＬは、アルファベット及び数字を羅列した文字列で構成されるため、入力操作の困難性が助長されていた。
【０００６】
そこで、本発明は、上記の実状に鑑み、端末装置の操作に不慣れな人でも、極めて簡単な操作でサーバにアクセスし動画データの配信を要求することが可能な動画配信システムを提供することを課題とするものである。
【課題を解決するための手段】
【０００７】
本発明にかかる動画配信システムは、
「サーバと、該サーバに通信網を介して接続可能な端末装置とを備え、前記サーバに複数の動画データを記憶するとともに、該複数の動画データのうち任意の動画データを前記端末装置に配信する動画配信システムであって、
前記端末装置は、テレビ電話モードを有する携帯電話であり、
前記サーバは、
前記通信網上で前記サーバに割り当てられた複数の着信電話番号と前記動画データとを対応付けるデータベースが記憶された記憶装置と、
該記憶装置に前記動画データを記憶する動画記憶手段と、
前記携帯電話から前記テレビ電話モードで着信があった場合、発呼された前記着信電話番号を認識する着信番号認識手段と、
認識された前記着信電話番号に対応する前記動画データを前記データベースに基づいて特定し、該動画データを前記記憶装置から読み出す動画読出手段と、
読み出された前記動画データを、テレビ電話用プロトコルに従って前記携帯電話に送信する動画送信手段と
を具備する」
ことを特徴とするものである。
【０００８】
ここで、「テレビ電話モード」とは、通話相手の電話機との間で、通話中の画像データを送受信できるモードであり、テレビ電話機能を実現するためのプロトコルとしては第三世代携帯電話におけるテレビ電話のためのプロトコルである３Ｇ−３２４Ｍを用いることができる。また、携帯電話とサーバとを繋ぐ「通信網」としては、携帯電話網及びＩＳＤＮ網を使用することができる。
【０００９】
本発明の動画配信システムによれば、サーバには、通信網上で着信番号として複数の電話番号（以下、「着信電話番号」という）が割り当てられており、複数の動画データを記憶装置に記憶する際、動画データごとに番号が異なるように、それぞれの動画データとサーバに割り当てられた着信電話番号とがデータベースによって対応付けられる。
【００１０】
一方、携帯電話からサーバへテレビ電話モードで着信があった場合（すなわちサーバに割り当てられた何れかの着信電話番号で着信があった場合）、発呼された着信電話番号を認識し、その着信電話番号に対応する動画データをデータベースに基づいて特定し、その動画データを記憶装置から読み出す。その後、読み出した動画データを、テレビ電話用プロトコルに従って携帯電話に送信する。これにより、携帯電話では、テレビ電話モードにおいて、動画データに基づく動画が表示される。
【００１１】
このように、携帯電話の使用者は、動画データに対応する着信電話番号（すなわちサーバ側の電話番号）を携帯電話に入力し、テレビ電話モードでサーバを発呼するだけで、携帯電話で動画を閲覧することが可能になる。
【００１２】
本発明にかかる動画配信システムは、上記の構成に加え、
「前記サーバにインターネットを介して接続され、前記動画データを前記サーバに登録する登録用端末装置をさらに備え、
前記サーバの前記データベースは、前記動画データの登録者にかかる識別情報と、前記登録者に対して設定された前記着信電話番号と、前記動画データが格納される前記記憶装置内の記憶領域のアドレスとを対応付けるものであり、
前記登録用端末装置は、前記動画データとともに前記識別情報を前記サーバに送信し、
前記サーバの前記動画記憶手段は、前記登録用端末装置から送信された前記動画データ及び前記識別情報を受信すると、該識別情報に対応する前記アドレスを、前記データベースに基づいて特定し、特定された前記アドレスの前記記憶領域に、受信した前記動画データを記憶する」
構成とすることができる。
【００１３】
ここで、「登録用端末装置」としては、インターネットに接続可能なコンピュータまたは携帯電話を使用することができる。また、登録用端末装置からサーバへ送られる動画データは、例えば電子メールに添付して送ることができる。
【００１４】
本発明の動画配信システムによれば、サーバのデータベースは、動画データの登録者にかかる識別情報（ＩＤやパスワード）と、その登録者に対して予め設定された着信電話番号と、動画データが記憶される記憶領域のアドレスとを対応付けている。なお、このデータベースにおける各情報は、動画データの登録に先立って記憶される。例えば、動画データの登録の前にサーバの管理者が動画データの登録者と契約する場合には、その契約の際に登録者の識別情報が設定されるとともに、登録者毎に異なるように着信電話番号及びアドレスが割り当てられ、これらの情報がデータベースに記憶される。
【００１５】
サーバは、登録用端末装置から送信された動画データ及び識別情報を受信すると、その識別情報に対応する記憶領域のアドレスを、データベースに基づいて特定する。そして、特定されたアドレスの記憶領域に、受信した動画データを記憶する。これにより、動画データと着信電話番号とがデータベースによって対応付けられる。
【００１６】
本発明にかかる動画配信システムは、上記の構成に代えて、
「前記サーバにインターネットを介して接続され、前記動画データを前記サーバに登録する登録用端末装置をさらに備え、
前記サーバは、
前記登録用端末装置から送信された前記動画データを受信すると、該動画データに、前記サーバに割り当てられた前記複数の着信電話番号のうちの一つを付与する電話番号付与手段と、
付与された前記着信電話番号を前記インターネットを介して前記登録用端末装置に通知する電話番号通知手段と
をさらに具備し、
前記動画記憶手段は、受信した前記動画データを前記記憶装置に記憶するとともに、前記電話番号付与手段によって付与された前記着信電話番号と前記動画データとを前記データベースにおいて対応付ける」
構成を採用することもできる。
【００１７】
ここで、「登録用端末装置」としては、インターネットに接続可能なコンピュータまたは携帯電話を使用することができる。また、登録用端末装置からサーバへ送られる動画データ、及びサーバから登録用端末装置へ通知される着信電話番号は、例えば電子メールに添付して送ることができる。
【００１８】
本発明の動画配信システムによれば、サーバは、登録用端末装置から送信された動画データを受信すると、その動画データに、通信網上でサーバに割り当てられた複数の着信電話番号のうちの一つを付与する。そして、受信した動画データと、付与した着信電話番号とをデータベースによって対応付ける。また、サーバは、付与した着信電話番号をインターネットを介して登録用端末装置に通知する。これにより、動画データの登録者に、動画データに対応する着信電話番号を認識させることができる。
【００１９】
上記の発明は、サーバにおいて実行されるプログラムとして実現することもできる。
すなわち、本発明の動画配信プログラムは、
「サーバに複数の動画データを記憶するとともに、前記サーバに記憶された前記複数の動画データのうち、任意の動画データを携帯電話に配信する動画配信プログラムであって、
通信網上で前記サーバに割り当てられた複数の着信電話番号と前記動画データとを対応付けるデータベースが記憶された記憶装置に、前記動画データを記憶する動画記憶手段、
前記携帯電話からテレビ電話モードで着信があった場合、発呼された前記着信電話番号を認識する着信番号認識手段、
認識された前記着信電話番号に対応する前記動画データを前記データベースに基づいて特定し、該動画データを前記記憶装置から読み出す動画読出手段、
及び、読み出された前記動画データを、テレビ電話用プロトコルに従って前記携帯電話に送信する動画送信手段
として、前記サーバを機能させる」
ことを特徴とするものである。
【００２０】
本発明の動画配信プログラムによれば、サーバにおいて実行させることにより、携帯電話のテレビ電話モードを利用して、所望の動画を閲覧することが可能となる。
【発明の効果】
【００２１】
このように、本発明によれば、端末装置の操作に不慣れな人でも、極めて簡単な操作でサーバにアクセスし動画データの配信を要求することができる。
【図面の簡単な説明】
【００２２】
【図１】本発明の一実施形態である動画配信システムの概略構成を示す説明図である。
【図２】サーバにおける機能的構成を示すブロック図である。
【図３】（ａ）はデータベースの構成を示す説明図であり、（ｂ）は記憶領域に動画データを格納する処理を示す説明図である。
【図４】携帯電話におけるテレビ電話プロトコルの構成を示す説明図である。
【図５】サーバにおける処理の流れを示すフローチャートである。
【図６】他の実施形態である動画配信システムにおけるサーバの機能的構成を示すブロック図である。
【発明を実施するための形態】
【００２３】
以下、本発明の実施形態である動画配信システム１について説明する。図１に示すように、動画配信システム１は、サーバ２と、サーバ２に通信網３を介して接続可能な複数の携帯電話４，５とを備えている。なお、携帯電話４及び携帯電話５は、同様の機能を有するものであるが、ここでは、サーバ２に動画データを登録するための端末装置を携帯電話４とし、サーバ２に記憶された動画データを基に動画を閲覧するための端末装置を携帯電話５として、以下詳細に説明する。つまり、携帯電話４が本発明の登録用端末装置に相当し、携帯電話５が本発明の端末装置に相当する。
【００２４】
通信網３は、基地局７，８及びネットワークセンタ９（携帯電話会社）を含む携帯電話網１０と、ネットワークセンタ９を介して携帯電話網１０に接続されたインターネット１１及びＩＳＤＮ網１２（サービス総合ディジタル網）とから構成されている。携帯電話４からサーバ２に動画データを登録する際には、動画データを電子メールに添付して送信することができる（詳細は後述する）が、この場合には、基地局７、ネットワークセンタ９、及びインターネット１１を介してサーバ２に電子メールが送られる。一方、携帯電話５が、動画データの配信を要求する場合には、携帯電話５はテレビ電話モードでサーバ２を発呼する（詳細は後述する）が、この場合には、基地局８、ネットワークセンタ９、及びＩＳＤＮ網１２を介してサーバ２に接続される。本実施形態のＩＳＤＮ網１２は、光ケーブルを用いて一本の回線で数十回線分の利用を可能とするものであり、サーバ２には、ＩＳＤＮ網１２上で複数の着信電話番号が割り当てられている。また、インターネット１１には、管理用コンピュータ１４も接続されており、サーバ２のデータベース２０（後述する）に動画データの登録者の情報を入力したり、動画記憶部２１（後述する）に記憶された動画データをチェックしたりすることが可能になっている。
【００２５】
サーバ２は、詳細は図示しないが、ハード構成として、主記憶装置と、演算装置及び制御装置等を有する中央処理装置と、ハードディスク等から構成された補助記憶装置とを具備している。補助記憶装置には、図２に示すように、携帯電話４（図１参照）から送信された電子メールを蓄積するメールボックス２７と、携帯電話４によって送信された動画データ、及びデータベース２０を記憶する動画記憶部２１とが記憶されている。図３（ａ）に示すように、データベース２０は、動画データの登録者の氏名２２と、その登録者にかかる識別情報２３（ＩＤ及びパスワード等）と、登録者に対して設定された着信電話番号２４（後述する）と、動画データが格納される記憶領域Ｍのアドレス２５とを対応付けるものである。なお、このデータベース２０に記憶される各情報は、動画データの登録に先立って行われる、サーバ２の管理者と動画データの登録者との契約の際に設定され、管理者によって管理用コンピュータ１４を用いて入力される。また、動画記憶部２１の記憶領域Ｍに登録可能な動画データは、特に限定されるものではないが、例えば、自己ＰＲ、支持者やファンへのメッセージ、新製品の紹介、または地方自治体から住民へのお知らせ等を例示することができる。ここで、動画記憶部２１が本発明の記憶装置に相当する。
【００２６】
また、図２に示すように、サーバ２には、ゲートウェイ３３が設けられており、動画記憶部２１から読み出した動画データをテレビ電話用プロトコルに従って携帯電話５に送信することが可能になっている。
【００２７】
ところで、サーバ２の主記憶装置にはプログラムが記憶されており、このプログラムを中央処理装置で実行させることにより、以下に示す機能的構成を有するものになる。すなわち、図２に示すように、サーバ２には、携帯電話４から電子メールに添付して送信された動画データを登録する構成として、メールサーバ部２６、認証手段２８、及び動画記憶手段３０を備えている。
【００２８】
メールサーバ部２６は、インターネット１１を介して携帯電話４と電子メールの送受信を行い、受信したメールをメールボックス２７に蓄積する。なお、携帯電話４から送信される電子メールには、予め定めた所定の欄に、登録者の氏名と識別情報とが入力されることとすることができる。例えば、識別情報としては、ＩＤ及びパスワードを挙げることができ、電子メールの「件名」の欄にＩＤが入力され、「本文」の欄にパスワードが入力されるようにすることができる。なお、ＩＤ及びパスワードの一方のみが入力されるようにしてもよい。
【００２９】
認証手段２８は、メールボックス２７に蓄積された電子メール（すなわち携帯電話４から送信された電子メール）から識別情報を抽出し、動画記憶部２１のデータベース２０（図３（ａ）参照）に記憶された識別情報２３と照合することで、契約済の登録者（すなわち契約者）であるか否かを判別する。動画記憶手段３０は、認証手段２８によって契約者であることが判別された場合、データベース２０を基に、識別情報に対応する記憶領域Ｍのアドレス２５を特定し、図３（ｂ）に示すように、そのアドレス２５の記憶領域Ｍに、携帯電話４から送信された動画データを格納する。これにより、それぞれの動画データと着信電話番号２４とが対応付けられ、契約の際に設定された着信電話番号から動画データを特定することが可能になる。
【００３０】
また、サーバ２は、携帯電話５に動画データを配信する構成として、着信電話番号認識手段３４、動画読出手段３５、及び動画送信手段３６を備えている。着信電話番号認識手段３４は、携帯電話５からテレビ電話モードで着信があった場合（すなわちサーバ２に割り当てられた何れかの着信電話番号で着信があった場合）、発呼された着信電話番号を認識する。動画読出手段３５は、着信電話番号認識手段３４によって認識された着信電話番号と動画記憶部２１のデータベース２０に記憶された着信電話番号２４とを照合し、一致する着信電話番号２４に対応する記憶領域Ｍのアドレス２５を特定するとともに、そのアドレス２５の記憶領域Ｍに格納されている動画データを読み出す。動画送信手段３６は、動画読出手段３５によって読み出された動画データを、ゲートウェイ３３を介することによりテレビ電話用プロトコルに従って携帯電話５に送信する。
【００３１】
一方、携帯電話５は、詳細は図示しないが、ハード構成として、演算装置及び制御装置等を有する中央処理装置、記憶装置、無線通信部、電話系制御回路、液晶ディスプレイ、カメラ、スピーカ、マイクロフォン、キーパッド、及びインターフェース等を備えている。記憶装置には制御プログラムが格納されており、中央処理装置で実行することにより各種制御が行われる。また、キーパッドは電話番号を入力する際に使用され、液晶ディスプレイ及びスピーカは、動画を表示する際に使用される。
【００３２】
また、携帯電話５は、テレビ電話モードを実現するために、第三世代携帯電話におけるテレビ電話のためのプロトコルである３Ｇ−３２４Ｍを用いている。このプロトコル３９の構成は、図４に示すように、カメラ及び液晶ディスプレイ等のビデオ入出力４０に接続され、動画データのうち画像に関するデータを処理する画像圧縮符号化部４１と、スピーカ及びマイクロフォン等の音声入出力４２に接続され、動画データのうち音声に関するデータを処理する音声符号化部４３及び受信バス遅延部４４と、データ４５を転送するデータ転送部４６と、制御データ４７を処理する端末制御部４８、分割／組立部４９、及び再送制御部５０と、これらからの出力を多重化したりサーバ２から送信された動画データを分離したりするマルチメディア多重／分離部５２とから構成されている。なお、画像圧縮符号化部４１は、動画圧縮方式であるＨ．２６３及び動画符号化方式であるＭＰＥＧ−４を用い、音声符号化部４３は、音声符号化方式であるＡＭＲを用い、データ転送部４６は、データ圧縮方式であるＬＡＰＭを用い、端末制御部４８は制御チャネルプロトコルであるＨ．２４５を用い、分割／組立部４９はＣＣＳＲＬを用い、再送制御部５０はＮＳＲＰ／ＬＡＰＭを用い、マルチメディア多重／分離部５２は、多重分離方式であるＨ．２２３ＡｎｎｅｘＢを用いている。
【００３３】
次に、動画配信システム１の動作、特にサーバ２によって行われる動画データの配信処理（本発明の動画配信プログラムに相当）について説明する。図５に示すように、サーバ２は、自身に割り当てられた何れかの着信電話番号によって、携帯電話５から着信があると（ステップＳ１においてＹＥＳ）、携帯電話５がテレビ電話モードであるか否かを判別し（ステップ２）、テレビ電話モードである場合には（ＹＥＳ）、携帯電話５の電話番号（発信番号）が通知されているか（すなわち非通知の設定になっていないか）を判別する（ステップＳ３）。非通知の設定になっていない場合には（ＹＥＳ）、着信電話番号に対応する動画データが動画記憶部２１に記憶されているか否かを判別する（ステップＳ４）。そして、動画データが記憶されている場合には（ＹＥＳ）、発呼された着信電話番号に対応する動画データを動画記憶部２１から読み出し、テレビ電話プロトコルに従って再生し携帯電話５に送信する（ステップＳ５）。これにより、携帯電話５の液晶ディスプレイに動画の画像が表示され、携帯電話５のスピーカから動画の音声が出力される。そして、再生が終了すると（ステップＳ６においてＹＥＳ）、電話の回線を切断し（ステップＳ７）、処理を終了する。なお、ステップＳ２において携帯電話５がテレビ電話モードでないと判別した場合（ＮＯ）、またはステップＳ３において携帯電話５が非通知の設定になっている場合（ＮＯ）、またはステップＳ４において着信電話番号に対応する動画データが動画記憶部２１に記憶されていない場合には（ＮＯ）、動画データを送信することなくステップＳ７へ移行し電話の回線を切断する。なお、この場合、音声によって、「配信できないこと」あるいは「テレビ電話モードでかけ直すこと」を知らせるようにしてもよい。
【００３４】
このように、本実施形態の動画配信システム１によれば、動画データに対応する着信電話番号（すなわちサーバ２側の電話番号）を携帯電話５に入力し、テレビ電話モードでサーバ２を発呼するだけで、携帯電話５で動画を閲覧することが可能になるため、携帯電話５等の操作に不慣れな人でも、極めて簡単にサーバ２にアクセスし、動画データの配信を要求することができる。特に、ＵＲＬの入力操作に不慣れな例えば年配者でも、電話番号の入力操作には慣れていることから、極めて簡単に動画を閲覧することが可能となる。
【００３５】
また、本実施形態の動画配信システム１によれば、サーバ２の管理者との契約の際に設定された着信電話番号を用いて動画データの配信を要求することが可能になる。また、着信電話番号が予め設定されるため、例えば、動画データの登録者は、パンフレットやポスター等の媒体に着信電話番号を記載することが可能となり、多数の人に着信電話番号を知らせて動画を閲覧してもらうことが可能になる。特に、登録者に対して着信電話番号が設定されることから、登録された動画データが入れ替わっても、同じ着信電話番号で動画を閲覧させることができ、例えばその着信電話番号を自分の名刺に記載するなど、登録者専用の番号として取り扱うことが可能となる。
【００３６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３７】
すなわち、上記実施形態では、サーバ２の管理者との契約の際に動画データの登録者（契約者）に対して着信電話番号を設定するものを示したが、動画データの登録時に、登録される動画データに対して着信電話番号を付与するようにしてもよい。具体的には、図６に示すように、サーバ２Ａに、機能的構成として、電話番号付与手段２９及び電話番号通知手段３１を備えるようにすればよい。電話番号付与手段２９は、認証手段２８によって契約者と判別した場合、電子メールに添付された動画データに対し、サーバ２Ａに割り当てられた複数の着信電話番号のうちの一つを付与する。そして、動画記憶手段３０Ａは、携帯電話４から送信された動画データを所定のアドレスの記憶領域に記憶するとともに、動画記憶部２１のデータベース（図示しない）に、電話番号付与手段２９によって付与された着信電話番号、登録者の氏名、及び動画データを記憶した記憶領域のアドレスを記憶する。これにより、着信電話番号と動画データとが対応付けられ、着信電話番号を用いて動画データを特定することが可能になる。また、電話番号通知手段３１は、電話番号付与手段２９によって付与された着信電話番号を記載した電子メールを作成し、メールサーバ部２６及びインターネット１１を介して、動画データの送信元である携帯電話４に返信する。これによれば、動画データに対して付与された着信電話番号が携帯電話４に通知されるため、動画データの登録者は、動画データに対応する着信電話番号を認識することができ、パンフレットやポスター等に着信電話番号を記載することが可能になる。
【００３８】
また、上記実施形態では、登録用端末装置として携帯電話４を用いるものを示したが、インターネット１１に接続されたコンピュータを用いるようにしてもよい。また、上記実施形態では、動画データを登録する際、電子メールに添付して送信するものを示したが、サーバ２に動画データ登録用のウェブページを開設し、登録用端末装置から識別情報を介してウェブページにアクセスするとともに、登録用端末装置からサーバ２に動画データをアップロードするようにしてもよい。
【００３９】
さらに、上記実施形態では、発信番号が非通知の場合、動画データを配信しないようにするものを示したが、発信番号の通知／非通知に拘らず動画データを配信するようにしてもよい。また、動画の閲覧が可能となる対象者（例えば会員）の発信番号を予めサーバ２に登録しておき、登録されていない人からの要求に対して動画データの配信を拒否するようにしてもよい。
【符号の説明】
【００４０】
１  動画配信システム
２，２Ａ  サーバ
３  通信網
４  携帯電話（登録用端末装置）
５  携帯電話（端末装置）
１１  インターネット
２０  データベース
２１  動画記憶部（記憶装置）
２３  識別情報
２４  着信電話番号
２５  アドレス
２９  電話番号付与手段
３０，３０Ａ  動画記憶手段
３１  電話番号通知手段
３４  着信電話番号認識手段（着信番号認識手段）
３５  動画読出手段
３６  動画送信手段
３９  プロトコル（テレビ電話モード）
Ｍ  記憶領域
【先行技術文献】
【特許文献】
【００４１】
【特許文献１】特開２０１１−１５９０１６号公報
【図１】
2013201554.tif 000003
【図２】
2013201554.tif 000004
【図３】
2013201554.tif 000005
【図４】
2013201554.tif 000006
【図５】
2013201554.tif 000007
【図６】
2013201554.tif 000008